(57)【要約】【課題】放射線画像記録媒体に欠陥領域が発生しても画像データ中の欠陥を視認しにくくすることが可能になる共に、前記画像データの再構築における前記欠陥の画像補正処理をより簡単に容易に行うことが可能となる放射線画像撮影装置及び放射線画像撮影方法を提供する。【解決手段】放射線検出器１４に放射線変換パネル１２ａ、１２ｂの継目４０や、各光電変換素子に起因した画素欠陥４２が存在する場合に、継目４０及び画素欠陥４２に直交する矢印Ａ方向に沿って放射線検出器１４を所定の移動量だけ移動させて放射線画像の撮影を行う。撮影制御手段１８は、前記移動量を示す移動情報と前記放射線画像に応じた画像データとを記憶手段２０に記憶する。画像処理手段２２は、前記各移動情報と前記各画像データとに基づく再構築処理を行い、画像表示手段２４は、再構築処理後の画像データを表示する。【選択図】図１
2008237550.tif 000002
【特許請求の範囲】
【請求項１】
放射線源から出力された放射線を被写体を介し放射線画像記録媒体に照射して放射線画像の撮影を行う放射線画像撮影装置において、
前記放射線画像記録媒体に所定形状の欠陥領域が形成されている場合に、該放射線画像記録媒体と平行で且つ前記欠陥領域と交差する方向に、前記放射線画像記録媒体を移動させる画像記録媒体移動手段と、
前記画像記録媒体移動手段により前記放射線画像記録媒体が移動される毎に前記放射線画像の撮影が行われる場合に、前記撮影毎に前記放射線画像を読み取って画像データを生成する画像読取手段と、
前記画像読取手段から順次入力される前記画像データと、該画像データに応じた前記放射線画像の撮影の際の前記放射線画像記録媒体の移動量を示す移動情報とを関連付けて記憶する記憶手段と、
前記記憶手段から前記各画像データ及び前記各移動情報を読み出し、前記各移動情報に基づいて前記各画像データ中の前記被写体の位置が互いに一致するように前記各画像データを重畳させて前記各画像データの再構築を行う画像処理手段と、
を有する
ことを特徴とする放射線画像撮影装置。
【請求項２】
請求項１記載の放射線画像撮影装置において、
前記放射線画像記録媒体の所定領域における前記欠陥領域の発生の有無を判定する欠陥判定手段をさらに有し、
前記画像記録媒体移動手段は、前記欠陥判定手段が前記所定領域内での前記欠陥領域の発生を判定した際に、前記放射線画像記録媒体の移動を開始する
ことを特徴とする放射線画像撮影装置。
【請求項３】
請求項１又は２記載の放射線画像撮影装置において、
前記画像記録媒体移動手段は、前記平行方向及び前記交差方向に沿って前記放射線画像記録媒体を一方向に移動させるか又は往復移動させる
ことを特徴とする放射線画像撮影装置。
【請求項４】
請求項１〜３のいずれか１項に記載の放射線画像撮影装置において、
前記放射線源は、平面視で前記欠陥領域に沿って移動するように構成される
ことを特徴とする放射線画像撮影装置。
【請求項５】
放射線源から出力された放射線を被写体を介し放射線画像記録媒体に照射して放射線画像の撮影を行う放射線画像撮影方法において、
前記放射線画像記録媒体に所定形状の欠陥領域が形成されている場合に、該放射線画像記録媒体と平行で且つ前記欠陥領域と交差する方向に、前記放射線画像記録媒体を移動させる第１ステップと、
前記放射線画像記録媒体が移動された後に前記放射線画像の撮影を行う第２ステップと、
前記撮影後に前記放射線画像記録媒体から前記放射線画像を読み取って画像データを生成する第３ステップと、
前記画像データと、該画像データに応じた前記放射線画像の撮影の際の前記放射線画像記録媒体の移動量を示す移動情報とを関連付けて記憶手段に記憶する第４ステップと、
を有し、
前記第１〜第４ステップとを繰り返し行った後に、前記記憶手段から前記各画像データ及び前記各移動情報を読み出し、前記各移動情報に基づいて前記各画像データ中の前記被写体の位置が互いに一致するように前記各画像データを重畳させて前記各画像データの再構築を行う
ことを特徴とする放射線画像撮影方法。
【発明の詳細な説明】
【技術分野】
【０００１】
本発明は、放射線源から出力された放射線を被写体を介し放射線画像記録媒体に照射して放射線画像の撮影を行う放射線画像撮影装置及び放射線画像撮影方法に関する。
【背景技術】
【０００２】
従来より、被写体に放射線を照射し、該被写体を透過した前記放射線を放射線画像記録媒体に導いて放射線画像を記録する放射線画像撮影装置が広汎に使用されている。前記放射線画像記録媒体として、例えば、蛍光体に放射線画像情報としての放射線エネルギを蓄積し、励起光を照射することで前記放射線画像情報を輝尽発光光として取り出すことのできる蓄積性蛍光体パネルが知られている。
【０００３】
ところで、医療分野においては、近年、前記放射線画像情報を前記放射線画像記録媒体に記録した後、直ちに読み出して診断等に利用できることが要請されている。このような要請に対応すべく、前記蓄積性蛍光体パネルに代えて、前記照射された放射線を電気信号に直接変換して読み出すことのできるＣＣＤ固体センサやアモルファスシリコンを用いた半導体センサ等の光電変換素子を二次元配列することにより平面状に一体的に構成したデジタル式の放射線検出器が使用可能になってきている。
【０００４】
前記放射線検出器は、被写体を中心として放射線源を回転させながら該被写体を介し前記放射線検出器に放射線を照射するトモシンセシス、あるいは断層撮影の機能を有する放射線画像撮影装置に適用可能である。例えば、トモシンセシスの機能を有する放射線画像撮影装置では、前記放射線源を回転させながら所定時間間隔で放射線画像を連続撮影し、前記連続撮影された放射線画像を読み取って得られた複数の画像データについて前記被写体の所定部位を強調した画像データを得たい場合に、前記所定部位を中心として前記各画像データの位置合わせを行った後に前記各画像データを重畳することにより、前記所定部位が強調された新たな画像データを生成する前記各画像データの再構築処理が行われる。
【０００５】
一方、前記放射線検出器内部の回路異常に起因した線状の画素欠陥、あるいは、放射線検出面の大面積化を図るために複数の光電変換素子から構成される放射線検出パネルを複数枚継ぎ合わせて前記放射線検出器を構成したときの前記各放射線検出パネル間の線状の継目により、これらの欠陥領域に応じた線状の欠陥が前記画像データ中に発生するおそれがある。
【０００６】
そこで、前記各画像データの再構築処理では、前記各画像データの重畳により前記線状の欠陥と該欠陥の周囲の正常な画素データとを重畳させて、前記欠陥を目立たないようにする画像補正処理が行われる。しかしながら、前記放射線源の移動方向に沿って前記放射線検出器に上記した欠陥領域が形成されていれば、この欠陥領域に応じた前記各画像データ中の欠陥は、該各画像データの同一位置に発生するので、前記画像補正処理を行っても前記欠陥が目立つおそれがある。
【０００７】
そこで、特許文献１には、放射線検出器を放射線の受光面に直交する軸を中心に所定角度回転させた状態で放射線画像の連続撮影を行うことにより、画像データ中での欠陥の発生を抑制することが提案されている。
【０００８】
【特許文献１】特開２０００−３３３９３９号公報
【発明の開示】
【発明が解決しようとする課題】
【０００９】
上記の特許文献１に開示されている技術では、放射線検出器を所定角度回転させた状態で放射線画像の連続撮影を行なうので、各放射線画像より得られた各画像データでの注目点（例えば、被写体）の位置は、撮影回数を重ねる毎に徐々に斜め方向に移動していく。そのため、前記角度が正確でないと前記各画像データの再構築処理の際に前記被写体を中心とした前記各画像データの位置合わせを行うことができない。また、前記角度を設けない場合と比較して、前記再構築処理を行う際に、前記各画像データでの重複部分の面積（有効面積）が小さくなり前記再構築処理における画像補正処理が複雑化するおそれがある。
【００１０】
本発明は、前記の不具合に鑑みなされたものであり、放射線画像記録媒体に欠陥領域が発生しても画像データ中の欠陥を視認しにくくすることが可能になると共に、前記画像データの再構築処理における前記欠陥の画像補正処理をより簡単且つ容易に行うことが可能となる放射線画像撮影装置及び放射線画像撮影方法を提供することを目的とする。
【課題を解決するための手段】
【００１１】
本発明に係る放射線画像撮影装置は、放射線源から出力された放射線を被写体を介し放射線画像記録媒体に照射して放射線画像の撮影を行う放射線画像撮影装置において、前記放射線画像記録媒体に所定形状の欠陥領域が形成されている場合に該放射線画像記録媒体と平行で且つ前記欠陥領域と交差する方向に前記放射線画像記録媒体を移動させる画像記録媒体移動手段と、前記画像記録媒体移動手段により前記放射線画像記録媒体が移動される毎に前記放射線画像の撮影が行われる場合に前記撮影毎に前記放射線画像を読み取って画像データを生成する画像読取手段と、前記画像読取手段から順次入力される前記画像データと、該画像データに応じた前記放射線画像の撮影の際の前記放射線画像記録媒体の移動量を示す移動情報とを関連付けて記憶する記憶手段と、前記記憶手段から前記各画像データ及び前記各移動情報を読み出し前記各移動情報に基づいて前記各画像データ中の前記被写体の位置が互いに一致するように前記各画像データを重畳させて前記各画像データの再構築を行う画像処理手段とを有することを特徴とする。
【００１２】
また、本発明に係る放射線画像撮影方法は、放射線源から出力された放射線を被写体を介し放射線画像記録媒体に照射して放射線画像の撮影を行う放射線画像撮影方法において、前記放射線画像記録媒体に所定形状の欠陥領域が形成されている場合に該放射線画像記録媒体と平行で且つ前記欠陥領域と交差する方向に前記放射線画像記録媒体を移動させる第１ステップと、前記放射線画像記録媒体が移動された後に前記放射線画像の撮影を行う第２ステップと、前記撮影後に前記放射線画像記録媒体から前記放射線画像を読み取って画像データを生成する第３ステップと、前記画像データと該画像データに応じた前記放射線画像の撮影の際の前記放射線画像記録媒体の移動量を示す移動情報とを関連付けて記憶手段に記憶する第４ステップとを有し、前記第１〜第４ステップとを繰り返し行った後に、前記記憶手段から前記各画像データ及び前記各移動情報を読み出し、前記各移動情報に基づいて前記各画像データ中の前記被写体の位置が互いに一致するように前記各画像データを重畳させて前記各画像データの再構築を行うことを特徴とする。
【００１３】
本発明によれば、前記放射線画像記録媒体と平行方向で且つ前記欠陥領域との交差方向に当該放射線画像記録媒体を移動させることにより、前記各画像データ中の欠陥の位置は、互いに異なる位置に配置されることになる。これにより、前記各画像データの再構築において、前記各画像データ中の前記被写体の位置が互いに一致するように前記各画像データを重畳させると、正常な画素データにより前記欠陥が補正されて視認しにくくなる。従って、前記放射線画像記録媒体に前記欠陥領域が発生しても、前記画像データ中の前記欠陥を視認しにくくすることが可能になる。
【００１４】
また、前記放射線画像記録媒体を回転させることなく前記放射線画像の撮影を行うので、前記各画像データの再構築の際に、前記各画像データの重複部分の有効面積を十分に確保することができ、前記再構築における前記欠陥の画像補正処理をより簡単に行うことが可能となる。
【００１５】
ここで、前記放射線画像撮影装置は、前記放射線画像記録媒体の所定領域における前記欠陥領域の発生の有無を判定する欠陥判定手段をさらに有し、前記画像記録媒体移動手段は、前記欠陥判定手段が前記所定領域内での前記欠陥領域の発生を判定した際に、前記放射線画像記録媒体の移動を開始することが好ましい。
【００１６】
これにより、前記欠陥領域に起因して前記画像データに前記欠陥が発生したときにのみ前記放射線画像記録媒体を移動させるので、前記放射線画像の撮影や前記画像データの再構築を効率よく行うことができる。
【００１７】
さらに、前記画像記録媒体移動手段は、前記平行方向及び前記交差方向に沿って前記放射線画像記録媒体を一方向に移動させるか又は往復移動させることが好ましい。
【００１８】
これにより、前記各画像データの再構築を行うと、前記各画像データ中の前記欠陥がより目立ちにくくなる。また、前記往復移動により前記有効面積を前記一方向への移動の場合よりも大きく確保することが可能となり、前記各画像データの再構築を容易に行うことができる。
【００１９】
また、前記放射線源は、平面視で前記欠陥領域に沿って移動するように構成されることが好ましい。
【００２０】
これにより、トモシンセシスを利用した放射線画像撮影装置やマンモグラフィ装置やコーンビームＣＴを利用した放射線画像撮影装置に、本発明を適用することが可能となる。
【発明の効果】
【００２１】
本発明によれば、放射線画像記録媒体と平行方向で且つ欠陥領域との交差方向に当該放射線画像記録媒体を移動させることにより、各画像データ中の欠陥の位置は、互いに異なる位置に配置されることになる。これにより、前記各画像データの再構築において、前記各画像データ中の被写体の位置が互いに一致するように前記各画像データを重畳させると、正常な画素データにより欠陥が補正されて視認しにくくなる。従って、前記放射線画像記録媒体に前記欠陥領域が発生しても、前記画像データ中の前記欠陥を視認しにくくすることが可能になる。
【００２２】
また、前記放射線画像記録媒体を回転させることなく放射線画像の撮影を行うので、前記各画像データの再構築の際に、前記各画像データの重複部分の有効面積を十分に確保することができ、前記再構築における前記欠陥の画像補正処理をより簡単に行うことが可能となる。
【発明を実施するための最良の形態】
【００２３】
本発明に係る放射線画像撮影装置について、その装置を用いた放射線画像撮影方法との関係で、好適な実施の形態を挙げ、添付の図面を参照しながら説明する。
【００２４】
図１及び図２は、第１実施形態に係る放射線画像撮影装置１０Ａの概略ブロック図である。
【００２５】
この放射線画像撮影装置１０Ａは、放射線検出器（放射線画像記録媒体）１４と、放射線源１６と、撮影制御手段（画像読取手段及び欠陥判定手段）１８と、記憶手段２０と、画像処理手段２２と、画像表示手段２４と、画像記憶手段２６とを有する。
【００２６】
放射線源１６は、被写体３６を中心に矢印Ｂ方向に沿って回転可能に構成され、且つ矢印Ｂ方向に沿った所定位置から受診者等の被写体３６を介し放射線検出器１４に向けてＸ線等の放射線３８を照射することが可能なトモシンセシス用の放射線源である（図２参照）。なお、図１では、放射線源１６が、平面視で、前記矢印Ｂ方向に沿って移動可能であることを示している。
【００２７】
被写体３６から離間して配置された放射線検出器１４は、二次元状に配列された図示しない多数の光電変換素子により一体的に構成された放射線変換パネル１２ａ、１２ｂを継ぎ合わせて平面状に形成されており、前記各光電変換素子は、放射線３８が照射されることにより電荷を生成する放射線感応型の物質、例えば、アモルファスセレン（ａ−Ｓｅ）から構成されている。また、放射線検出器１４には、放射線変換パネル１２ａ、１２ｂを継ぎ合わせることにより矢印Ｂ方向に沿って発生した継目４０や、前記各光電変換素子の回路異常により矢印Ｂ方向に発生した線状の画素欠陥４２が生ずるものとする（図１参照）。さらに、放射線検出器１４は、被写体３６を中心として矢印Ｃ方向に沿って回転可能である。
【００２８】
放射線検出器１４の下部には、矢印Ｂ１方向及び矢印Ｃ１方向側にスライド部材２８ａが取り付けられ、一方で、矢印Ｂ２方向及び矢印Ｃ２方向側にスライド部材２８ｂが取り付けられている。各スライド部材２８ａ、２８ｂは、矢印Ａ方向に沿って設けられたガイドレール３０ａ、３０ｂに摺動自在にそれぞれ配置されている。放射線検出器１４は、リニアステッピングモータ等のアクチュエータ（画像記録媒体移動手段）３２により回転駆動されるボールねじ３４に連結されているので、矢印Ａ方向に変位可能である。すなわち、アクチュエータ３２の駆動作用下にボールねじ３４が回転すると、放射線検出器１４及びスライド部材２８ａ、２８ｂは、ガイドレール３０ａ、３０ｂの案内作用下に矢印Ａ方向に沿って移動可能である。
【００２９】
撮影制御手段１８は、放射線検出器１４及び放射線源１６による放射線画像の撮影と、アクチュエータ３２による放射線検出器１４の移動とを制御し、前記放射線画像を読み取って得られる画像データと、放射線検出器１４の移動量を示す移動情報とを関連付けて記憶手段２０に記憶する。
【００３０】
すなわち、図３のタイムチャートを参照しながら説明すると、撮影制御手段１８（図１及び図２参照）は、時間Ｔ１の時間帯内に、矢印Ｂ方向（矢印Ｂ１方向又は矢印Ｂ２方向）に移動しながら被写体３６を介し放射線検出器１４に放射線３８を照射するように放射線源１６を制御する。
【００３１】
また、撮影制御手段１８は、放射線源１６による放射線３８の照射が行われない時間Ｔ２の時間内に、アクチュエータ３２を駆動させて放射線検出器１４を所定の移動量（例えば、前記光電変換素子の数画素分に相当する距離）だけ矢印Ａ方向に移動させ、一方で、放射線３８の照射によって前記各光電変換素子に蓄積された電荷を前記放射線画像を示す撮像信号として取り出す処理を行う。
【００３２】
すなわち、時間Ｔ３内で、撮影制御手段１８は、前記各光電変換素子に対し所定の順序で読出信号としての駆動パルスを出力し、前記各光電変換素子では、入力された前記駆動パルスに基づいて前記電荷を前記撮像信号として撮影制御手段１８に出力する。撮影制御手段１８は、前記各光電変換素子から順次入力された前記各撮像信号をデジタル信号からアナログ信号に変換し、これらのアナログ信号を被写体３６の画像を含む前記放射線画像に応じた画像データ（複数のフレームから構成される動画データ又は静止画データ）として生成する。また、撮影制御手段１８は、時間Ｔ４又は時間Ｔ５内で、矢印Ａ方向に沿って放射線検出器１４を前記移動量だけ移動されるようにアクチュエータ３２を駆動させる。そして、撮影制御手段１８は、前記生成した画像データと、前記移動量を示す前記移動情報とを共に記憶手段２０に記憶する。
【００３３】
撮影制御手段１８では、上記した放射線検出器１４、放射線源１６及びアクチュエータ３２に対する制御と、前記画像データ及び前記移動情報の記憶手段２０への記憶とを周期Ｔ毎に繰り返し行う。
【００３４】
なお、放射線検出器１４の移動時間は、時間Ｔ２内であればよく、前記放射線画像の読み取りと同時（時間Ｔ５内）に行ってもよいし、あるいは、前記放射線画像読み取り後（時間Ｔ４内）に行っても構わない。
【００３５】
撮影制御手段１８は、上記した制御処理及び記憶処理の完了後に、記憶手段２０に記憶されている前記各画像データ及び前記各移動情報を読み出して画像処理手段２２に出力する。
【００３６】
画像処理手段２２は、前記各画像データ中の被写体３６のデータを強調した所望の新たな画像データを生成するために、前記各画像データの再構築処理を行う。
【００３７】
図４は、画像処理手段２２（図１及び図２参照）における前記再構築処理の一例を示している。なお、図４は、放射線検出器１４を矢印Ａ１方向に移動させたときに得られた各画像データ５０に対する再構築処理であり、ここでは、図４の（１）の画像データ５０中の被写体３６（図１及び図２参照）を示すデータ５２を強調した新たな画像データ６０（表示結果）を生成する場合を示している。また、図４の各画像データ５０は、いずれも、放射線源１６（図１及び図２参照）を所定位置に固定した状態で放射線３８を照射したときに得られたものであり、該各画像データ５０には、継目４０を示す欠陥５４や、画素欠陥４２を示す欠陥５６が存在するものとする。
【００３８】
図４において、画像処理手段２２（図１及び図２参照）では、５つの画像データ５０（図４の（１）〜（５））について、各データ５２の位置が（１）の画像データ５０中のデータ５２の位置に互いに一致するように、各画像データ５０の位置を調整する。この場合、画像処理手段２２では、各画像データ５０に関連付けられた前記移動情報の示す前記移動量により前記各画像データ５０の位置を補正して位置調整を行う。次に、画像処理手段２２では、前記移動情報により前記位置が調整された５つの画像データ５０を重畳して、データ５２を強調したデータ６２を含む新たな画像データ６０を生成する。この場合、欠陥５４、５６は、各画像データ５０中の正常な画素データと重畳されるので、欠陥６６は、欠陥５４、５６と比較して視認しにくくなる。なお、図４において、参照数字６４は、画像データ６０を生成する際の５つの画像データ５０の重複部分を示している。
【００３９】
図５は、画像処理手段２２（図１及び図２参照）における再構築処理の他の例を示している。なお、図５では、放射線検出器１４を矢印Ａ１方向及び矢印Ａ２方向に往復移動させたときに得られた各画像データ５０に対する再構築処理である。
【００４０】
図５の場合は、図４の場合と同様に、画像処理手段２２（図１及び図２参照）は、５つの画像データ５０（図５の（１）〜（５））について、各データ５２の位置が（１）の画像データ５０中のデータ５２の位置に互いに一致するように、画像データ５０の位置を調整し、次に、前記移動情報により前記位置が調整された５つの画像データ５０を重畳して、データ５２を強調したデータ６２を含む新たな画像データ６０を生成する。この場合でも、欠陥５４、５６は、各画像データ５０中の正常な画素データと重畳されるので、欠陥６６は、欠陥５４、５６と比較して視認しにくくなる。
【００４１】
画像処理手段２２は、上記のように再構築された画像データ６０をディスプレイ等の画像表示手段２４に表示すると共に、この画像データ６０を画像記憶手段２６に記憶する。
【００４２】
図６は、撮影制御手段１８（図１及び図２参照）における欠陥判定処理を示す説明図であり、図７は、該欠陥判定処理のフローチャートである。なお、図６及び図７では、放射線検出器が１枚の放射線変換パネルで構成され、継目４０（図１参照）が存在しないものとして説明する。
【００４３】
この処理は、撮影制御手段１８において、画像データ５０中に画素欠陥４２（図１参照）に応じた欠陥５６が存在しない場合（図６の（１））や、画像データ５０中に欠陥５６が存在するが、画像データ５０中の被写体３６を示すデータ１１２を含んだ基準領域１１０に前記欠陥５６が存在していない場合（図６の（２））には、アクチュエータ３２を駆動させずに放射線画像の撮影を行わせ、一方で、基準領域１１０に欠陥５６が存在している場合（図６（３））には、アクチュエータ３２を駆動させて放射線画像の撮影を行わせるというものである。
【００４４】
具体的に、図７のステップＳ１において、撮影制御手段１８（図１及び図２参照）は、画像データ５０より放射線源１６の移動方向（矢印Ｂ方向）に形成されている線状の欠陥５６の検出処理を行い、次に、ステップＳ２において、前記欠陥５６が基準領域１１０内に存在しているか否かを判定する。
【００４５】
ステップＳ２において、基準領域１１０内に欠陥５６が存在している場合（ステップＳ２のＹＥＳ、図６（３））に、撮影制御手段１８は、放射線検出器１４の移動方向及び移動量を決定し（ステップＳ３）、アクチュエータ３２を駆動させて前述した放射線画像の撮影を開始させる（ステップＳ４）。ステップＳ４の完了後に、撮影制御手段１８は、放射線画像の撮影を続行するか否かを判定し、前記撮影を続行する場合には（ステップＳ５のＹＥＳ）、放射線検出器１４の位置をアクチュエータ３２の駆動前の位置に戻すように該アクチュエータ３２を制御した後に（ステップＳ６）、ステップＳ４の処理を繰り返し行う。
【００４６】
一方、ステップＳ５において、次の撮影を行わないと判定した場合には、撮影制御手段１８は、放射線検出器１４、放射線源１６及びアクチュエータ３２への制御を停止する。
【００４７】
また、ステップＳ２において、基準領域１１０内に欠陥５６が存在していない場合（ステップＳ２のＮＯ、図６（１）又は（２））に、撮影制御手段１８は、アクチュエータ３２を駆動させない状態で放射線画像の撮影を開始させる（ステップＳ４）。
【００４８】
このように、第１実施形態によれば、放射線検出器１４と平行方向で且つ欠陥領域としての継目４０及び画素欠陥４２との交差方向である矢印Ａ方向に沿って放射線検出器１４を移動させることにより、各画像データ５０中の欠陥５４、５６の位置は、互いに異なる位置に配置されることになる。これにより、各画像データ５０を再構築して画像データ６０を生成する際に、各画像データ５０中の被写体３６のデータ５２の位置が互いに一致するように各画像データ５０を重畳させると、正常な画素データにより欠陥５４、５６が欠陥６６に補正されて視認しにくくなる。従って、放射線検出器１４に継目及び画素欠陥４２が発生しても、画像データ６０中の欠陥６６を視認しにくくすることが可能になる。
【００４９】
また、放射線検出器１４を回転させることなく放射線画像の撮影を行うので、各画像データ５０を再構築して画像データ６０を生成する際に、各画像データ５０の重複部分６４の有効面積を十分に確保することができ、前記再構築における欠陥５４、５６、６６の画像補正処理をより簡単に行うことが可能となる。
【００５０】
さらに、撮影制御手段１８において、画像データ５０中の基準領域１１０における欠陥５６の有無を判定することにより、放射線検出器１４での画素欠陥４２の発生の有無を判断するので、画素欠陥４２に起因して画像データ５０に欠陥５６が発生したときにのみ放射線検出器１４を移動させることとなり、前記放射線画像の撮影や画像データ５０の再構築を効率よく行うことができる。
【００５１】
さらにまた、矢印Ａ方向に沿って放射線検出器１４を一方向に移動させるか又は往復移動させることにより、各画像データ５０の再構築を行って画像データ６０を生成した際に、該画像データ６０中の欠陥６６がより目立ちにくくなる。また、前記往復移動を行えば、重複部分６４の面積（有効面積）を前記一方向への移動の場合よりも大きく確保することが可能となり、各画像データ５０の再構築を容易に行うことができる。
【００５２】
なお、第１実施形態では、放射線源１６を被写体３６を中心に矢印Ｂ方向に回転させることについて説明したが、この放射線源１６を前記被写体３６上方の所定位置に固定した場合でも、上記の効果が得られることは勿論である。また、各画像データ５０が静止画データ又は動画データであるか否かに関わりなく、上記の効果が得られることは勿論である。
【００５３】
次に、第２実施形態に係る放射線画像撮影装置１０Ｂについて、図８及び図９を参照しながら説明する。なお、第１実施形態に係る放射線画像撮影装置１０Ａ（図１〜図７参照）と同一の構成要素については、同一の参照符号を付して詳細な説明を省略し、以下同様とする。
【００５４】
この放射線画像撮影装置１０Ｂは、テーブル７０の天板７２に横臥している被写体７４を中心として放射線源１６を矢印Ｂ２方向に回転させながら放射線画像の動画撮影を行うトモシンセシス機能を有する放射線画像撮影装置であり、放射線検出器１４は、天板７２下部に取り付けられた筐体７６内に収容されている点で、第１実施形態に係る放射線画像撮影装置１０Ａとは異なる。
【００５５】
この放射線画像撮影装置１０Ｂでは、第１実施形態に係る放射線画像撮影装置１０Ａと同様に、継目４０（図１及び図９参照）や画素欠陥４２（図１及び図８参照）が矢印Ｂ方向に沿って生じていても、前記矢印Ｂ方向に交差する矢印Ａ方向に沿って放射線検出器１４を移動させることにより、上述した第１実施形態に係る放射線画像撮影装置１０Ａと同様の効果が得られる。
【００５６】
次に、第３実施形態に係る放射線画像撮影装置１０Ｃについて、図１０及び図１１を参照しながら説明する。
【００５７】
この放射線画像撮影装置１０Ｃは、被写体としての人体７８の乳房８０の放射線画像を撮影するマンモグラフィ装置である点で、第１及び第２実施形態に係る放射線画像撮影装置１０Ａ、１０Ｂ（図１〜図９参照）とは異なる。
【００５８】
この場合、ベース板８２に立設したガイド部材８４にスライド部材８６が上下方向に摺動自在に取り付けられ、このスライド部材８６に略Ｌ字状の筐体８８が取り付けられている。この筐体８８の上部に形成された軸受部９０に矢印Ａ方向に沿って軸９２が設けられ、この軸９２に放射線源移動手段９６を構成する軸受部９４が軸支されている。また、筐体８８上部には、該筐体８８と協働して乳房８０を上方から圧迫する圧迫板９８が上下動可能に取り付けられている。放射線検出器１４は、筐体８８内に収容され、一方で、放射線源１６は、放射線源移動手段９６内に収容されている。
【００５９】
ここで、乳房８０の放射線画像の撮影を行う際には、軸９２を中心に放射線源移動手段９６を矢印Ｂ方向に回動させながら、放射線源１６から圧迫板９８及び乳房８０を介し放射線検出器１４に放射線３８を照射する。
【００６０】
この放射線画像撮影装置１０Ｃでも、第１及び第２実施形態に係る放射線画像撮影装置１０Ａ、１０Ｂと同様に、継目４０（図１及び図１１参照）や画素欠陥４２（図１及び図１０参照）が矢印Ｂ方向に沿って生じていれば、前記矢印Ｂ方向に交差する矢印Ａ方向に沿って放射線検出器１４を移動させることにより、上述した第１及び第２実施形態に係る放射線画像撮影装置１０Ａ、１０Ｂと同様の効果が得られる。特にマンモグラフィ装置での撮影では、胸壁付近まで撮影範囲に含めたい要望があるため、放射線検出器１４を往復移動させることにより、重複部分６４の面積（有効面積）を大きく確保することが望ましい。
【００６１】
次に、第４実施形態に係る放射線画像撮影装置１０Ｄについて、図１２を参照しながら説明する。
【００６２】
この放射線画像撮影装置１０Ｄは、アーム部材１００を介し放射線源１６及び放射線検出器１４が連結され、被写体１０２を中心に前記アーム部材１００を矢印Ｄ方向（前述したＢ１方向及びＣ２方向）に回転させながら放射線画像の撮影を行うコーンビームＣＴの撮影装置である点で、第１〜第３実施形態に係る放射線画像撮影装置１０Ａ〜１０Ｃ（図１〜図１１参照）とは異なる。
【００６３】
この放射線画像撮影装置１０Ｄでも、第１〜第３実施形態に係る放射線画像撮影装置１０Ａ〜１０Ｃと同様に、継目４０及び画素欠陥４２（図１及び図１２参照）が矢印Ｂ１方向に沿って生じていれば、前記矢印Ｂ１方向に交差する矢印Ａ方向に沿って放射線検出器１４を移動させることにより、上述した第１及び第２実施形態に係る放射線画像撮影装置１０Ａ、１０Ｂと同様の効果が得られる。
【００６４】
なお、第１〜第４実施形態に係る放射線画像撮影装置１０Ａ〜１０Ｄでは、放射線画像記録媒体として放射線検出器１４を用いた場合について説明したが、前記放射線画像記録媒体として蓄積性蛍光体シート又は銀塩フイルムを採用し、画像読取手段としての撮影制御手段１８の構成を前記蓄積性蛍光体シート又は前記銀塩フイルムに応じた構成に変更することにより、上記の放射線画像撮影装置１０Ａ〜１０Ｄを適用可能であることは勿論である。
【００６５】
なお、本発明は、上述の実施の形態に限らず、本発明の要旨を逸脱することなく、種々の構成を採り得ることは勿論である。
【図面の簡単な説明】
【００６６】
【図１】第１実施形態に係る放射線画像撮影装置の概略平面説明図である。
【図２】図１の放射線画像撮影装置の概略正面説明図である。
【図３】放射線画像撮影装置を構成する撮影制御手段の処理を示すタイムチャートである。
【図４】放射線検出器を一方向に移動させたときに得られた各画像データに対する図１及び図２に示す画像処理手段での再構成処理を示す説明図である。
【図５】放射線検出器を往復移動させたときに得られた各画像データに対する図１及び図２に示す画像処理手段での再構成処理を示す説明図である。
【図６】図１及び図２に示す撮影制御手段での欠陥判定処理を示す説明図である。
【図７】図１及び図２に示す撮影制御手段での欠陥判定処理を示すフローチャートである。
【図８】第２実施形態に係る放射線画像撮影装置の概略正面図である。
【図９】第２実施形態に係る放射線画像撮影装置の概略側面図である。
【図１０】第３実施形態に係る放射線画像撮影装置の概略正面図である。
【図１１】第３実施形態に係る放射線画像撮影装置の概略側面図である。
【図１２】第４実施形態に係る放射線画像撮影装置の概略斜視図である。
【符号の説明】
【００６７】
１０Ａ〜１０Ｄ…放射線画像撮影装置    １２ａ、１２ｂ…放射線変換パネル
１４…放射線検出器                    １６…放射線源
１８…撮影制御手段                    ２０…記憶手段
２２…画像処理手段                    ２４…画像表示手段
２６…画像記憶手段                    ２８ａ、２８ｂ…スライド部材
３０ａ、３０ｂ…ガイドレール          ３２…アクチュエータ
３４…ボールねじ                      ３６、７４、１０２…被写体
３８…放射線                          ４０…継目
４２…画素欠陥                        ５０、６０…画像データ
５２、６２、１１２…データ            ５４、５６、６６…欠陥
６４…重複部分                        ７０…テーブル
７２…天板                            ７６、８８…筐体
７８…人体                            ８０…乳房
８４…ガイド部材                      ８６…スライド部材
９０、９４…軸受部                    ９２…軸
９６…放射線源移動手段                ９８…圧迫板
１００…アーム部材                    １１０…基準領域
【図１】
2008237550.tif 000003
【図２】
2008237550.tif 000004
【図３】
2008237550.tif 000005
【図４】
2008237550.tif 000006
【図５】
2008237550.tif 000007
【図６】
2008237550.tif 000008
【図７】
2008237550.tif 000009
【図８】
2008237550.tif 000010
【図９】
2008237550.tif 000011
【図１０】
2008237550.tif 000012
【図１１】
2008237550.tif 000013
【図１２】
2008237550.tif 000014